(57)【要約】【課題】  非文字と判定された領域の画像全てに光沢感のある画像が望ましいとは限らない、例えばプレゼンテーション用の資料のグラフや図にはむしろ光沢感のない画像が望まれているため、非文字領域の中でも透明トナーを使用の有無を判定し、望ましい画像にのみ透明トナーを使用し光沢感のある画像を提供することが課題である。【解決手段】  高画質印刷が要求されると予想できる原稿をスキャンした場合、ユーザーに意識させず自動的にオリジナル画像情報を本体またはネットワークのハードディスクに保存し、以後のジェネレーションコピーによる画像劣化を防止した高画質の印刷を提供すること可能となる。【選択図】  図１
2007034040.tif 000002
【特許請求の範囲】
【請求項１】
画像を読み取る画像読み取り手段、前記読み取り手段により読み取った画像を文字領域と非文字領域に分離する分離手段、前記分離手段より分離された非文字領域が更に写真画像かどうか判定する写真画像判定手段、前記写真画像判定手段により写真画像と判定された場合、写真画質と判定された非文字領域に対して、光沢を付加する光沢手段を有効すること特徴とする画像形成装置。
【請求項２】
前記写真画像判定手段として、前記非文字領域のヒストグラムを作成し、前記ヒストグラム中の任意の濃度の画素の除いた画素数が前記ヒストグラム中の全画素数の任意の割合に達し場合、写真画像と判定する写真画像判定部を有することを特徴とする請求項１に記載の画像形成装置。
【請求項３】
操作部より前記ヒストグラムの任意の濃度を設定することを特徴とする請求項２に記載の画像形成装置。
【請求項４】
操作部より前記ヒストグラム中の全画素数における任意の割合を設定することを特徴とする請求項２に記載の画像形成装置。
【請求項５】
前記光沢手段として透明トナーを使用することを特徴とする請求項１に記載の画像形成装置。
【発明の詳細な説明】
【技術分野】
【０００１】
本発明は、透明トナーを有する高画質MFPに関するものである。
【背景技術】
【０００２】
従来の透明トナーを有するMFPでは、特開平5-265287のようにスキャンした画像を像域判定し、非文字部分にのみ透明トナーを使用して、非文字領域にのみ光沢感のある画像が提供されている。
【０００３】
又、従来例としては、例えば特許文献１をあげることが出来る。
【特許文献１】特開平5-265287号公報
【発明の開示】
【発明が解決しようとする課題】
【０００４】
しかしながら、非文字と判定された領域の画像全てに光沢感のある画像が望ましいとは限らない、例えばプレゼンテーション用の資料のグラフや図にはむしろ光沢感のない画像が望まれているため、非文字領域の中でも透明トナーを使用の有無を判定し、望ましい画像にのみ透明トナーを使用し光沢感のある画像を提供することが課題である。
【課題を解決するための手段】
【０００５】
本発明により、以下の手段を講ずることにより上記不具合を解消するものである。
【０００６】
画像を読み取る画像読み取り手段、前記読み取り手段により読み取った画像を文字領域と非文字領域に分離する分離手段、前記分離手段より分離された非文字領域が更に写真画像かどうか判定する写真画像判定手段、前記写真画像判定手段により写真画像と判定された場合、写真画質と判定された非文字領域に対して、光沢を付加する光沢手段を有効することにより、非文字領域の中でも透明トナーを使用の有無を判定し、望ましい画像にのみ透明トナーを使用し光沢感のある画像を提供することが可能となる。
【発明の効果】
【０００７】
本発明の画像処理を用いることで、非文字領域の中でも光沢感が必要な画像かどうかを判定し、光沢感が必要だと判定された画像にのみ透明トナーを用い光沢感のある画像を提供することが可能となった。
【発明を実施するための最良の形態】
【０００８】
以下添付図面を参照して、本発明に係る好適な実施例を詳細に説明する。
【０００９】
図２は、本実施例の形態によって構成したネットワークシステムである。
【００１０】
図中の200はインターネット通信網である。201はウェブサーバであり、インターネット200上に接続され、インターネットユーザーに特定のサービスを提供する。202は金融機関と消費者クライアントの間の決済処理などを行う電子マネーサーバである。204は個人ユーザーの端末とインターネット200との接続処理を行うサービスプロバイダである。203はファイアーウォールであり、これにより下に図示したＬＡＮ2011内部と外部通信網（インターネット200）とを接続し、セキュリティー管理などを行う。210はＬＡＮ2011で接続された211〜214、220の各機器管理サーバーである。211はファイルサーバであり、ＬＡＮで接続された複数のユーザーがデータを共有することができる。
【００１１】
220はデジタル複写機などの画像形成装置であり、主に画像の入出力機能を有する。この画像形成装置220において、140はユーザーが各種の操作を行うための操作部、10は操作部140やパソコン212、213からの指示にしたがって画像を読み取るためのイメージスキャナ、20はパソコン212、213やファイルサーバ211からのデータを用紙に印刷するプリンターである。
【００１２】
30はコントローラユニットであり、操作部140やパソコン212、213からの指示に基づいてスキャナ10、プリンター20に対する画像データの入出力の制御を行う。例えば、スキャナ１０が取り込んだ画像データをコントローラ内部のメモリに蓄積したり、パソコン212、213に出力したり、あるいはプリンター20で印刷するなどの制御を行う。214はプリンターであり、パソコン212、213やファイルサーバ211からの画像データを記録媒体上にプリントすることができる。212、213は端末装置として接続されたパソコンである。インターネット200を介してウェブサーバ201から提供された情報を閲覧したり、画像データを画像形成装置220やプリンター214に出力したりすることができる。
【００１３】
なお、上記構成はインターネットにファイアーウォール203を介してＬＡＮ2011が接続されている構成となっているが、サービスプロバイダ204を介してファイアーウォールが接続される構成でもかまわない。
【００１４】
本発明の画像処理装置の外観を図3に示す。
【００１５】
画像入力デバイスであるスキャナ部10は、原稿画像をランプにより照射し、CCDラインセンサ(図示せず)で読み取り、電気信号に変換することで画像データとして処理を行う。原稿用紙を原稿フィーダ142にセットし、装置使用者が操作部140から読み取り起動指示することにより、フィーダ2072は原稿用紙を1枚ずつフィードし原稿画像の読み取り動作を行う。
【００１６】
画像出力デバイスであるプリンタ部20は、画像データを用紙上の画像に変換する部分であり、本特許の明細書では、感光体ドラムや感光体ベルトを用いた電子写真方式により説明を行なうが、微少ノズルアレイからインクを吐出して用紙上に直接画像を印字するインクジェット方式等であっても構わない。プリント動作の起動は、装置内部のコントローラ（後述）からの指示によって開始する。プリンタ部20には、異なる用紙サイズまたは異なる用紙向きを選択できるように複数の給紙段を持ち、それに対応した用紙カセット2101、2102、2103、2104がある。また、画像形成された用紙は排紙トレイ132上に排出される。
【００１７】
図16は本発明の画像形成装置のPWM部、レーザー生成部の構成を説明する図である。図面を用いて動作の詳細を説明する。
【００１８】
PWMでは、コントローラ部より入力されたイエロー（Y）、マゼンタ（M）、シアン（C）、ブラック（K）、透明（T）の5色に色分解された多値画像データは、それぞれのPWM部を通ってそれぞれ画像形成される。801は三角波発生部、802は入力されるデジタル画像信号をアナログ信号に変換するD／Aコンバータ（D／A変換部）である。三角波発生部801からの信号及び、D／Aコンバータ802からの信号は、コンパレータ803で大小比較されて、図16のcのような信号となってレーザ駆動部804に送られ、YMCKTそれぞれが、YMCKTそれぞれのレーザ発振器805でレーザビームに変換される。
【００１９】
そして、ポリゴンスキャナ913で、それぞれのレーザビームを走査して、それぞれの感光ドラム917、921、925、929、933に照射される。
【００２０】
図4は本発明の画像形成装置を5ドラムタイプカラーMFPに適用した構成を説明する断面図である。図面を用いて動作の詳細を説明する。
【００２１】
913は、ポリゴンミラーであり、5つの半導体レーザ発振器805より発光された5本のレーザ光を受ける。その内の１本はミラー914、915、916をへて感光ドラム917を走査し、次の１本はミラー918、919、920をへて感光ドラム921を走査し、次の1本は922、923、924をへて感光ドラム925を走査し、次の1本は926、927、928をへて感光ドラム929を走査し、次の1本は930、931、932をへて感光ドラム933を走査する。
【００２２】
一方、938はイエロー（Y）のトナーを供給する現像器であり、レーザ光に従い、感光ドラム917上にイエローのトナー像を形成し、939はマゼンタ（M）のトナーを供給する現像器であり、レーザ光に従い、感光ドラム921上にマゼンタのトナー像を形成し、940はシアン（C）のトナーを供給する現像器であり、レーザ光に従い、感光ドラム925上にシアンのトナー像を形成し、941はブラック（K）のトナーを供給する現像器であり、レーザ光に従い、感光ドラム929上にブラックのトナー像を形成し、942は透明（T）のトナーを供給する現像器であり、レーザ光に従い、感光ドラム933上に透明のトナー像を形成する。以上5色（Y,M,C,K,T）のトナー像がシートに転写され、フルカラーの出力画像を得ることができる。
【００２３】
シートカセット944、945および、手差しトレイ946のいずれかより供給されたシートは、レジストローラ947をへて、転写ベルト948上に吸着され、搬送される。給紙のタイミングと同期がとられて、予め感光ドラム917、921、925、929、933には各色のトナーが現像されており、シートの搬送とともに、トナーがシートに転写される。各色のトナーが転写されたシートは、分離され、搬送ベルト949により搬送され、定着器950によって、トナーがシートに定着される。定着器950を抜けたシートはフラッパ953によりいったん下方向へ導かれてシートの後端がフラッパ953を抜けた後、スイッチバックさせて排出する。これによりフェイスダウン状態で排出され、先頭頁から順にプリントしたときに正しい順となる。
【００２４】
なお、5つの感光ドラム917、921、925、929、933は、距離dをおいて、等間隔に配置されており、搬送ベルト949により、シートは一定速度vで搬送されており、このタイミング同期がなされて、5つの半導体レーザ805は駆動される。
【００２５】
操作部140の構成を図5に示す。LCD表示部1032は、LCD上にタッチパネルシートが貼られており、システムの操作画面を表示するとともに、表示してあるキーが押されるとその位置情報をコントローラユニット30に伝える。図6を用いて後述する。テンキー1028はコピー枚数など、数字の入力時に使用する。スタートキー1029は原稿画像の読み取り動作を開始する時などに用いる。ストップキー1030は稼働中の動作を止めるときに使用する。リセットキー1031は操作部からの設定を初期化する時に用いる。
【００２６】
また、1023はガイドキーであり、キーの機能が解らないとき押すとそのキーの説明が表示される。1024はコピーモードキーであり、複写を行うときに押す。1025はファクスキーであり、ファクスに関する設定を行うときに押す。1026はファイルキーであり、ファイルデータを出力したいときに押す。1027はプリンターキーであり、コンピュータ等の外部装置からのプリント出力に関する設定などを行なうときに使用する。
【００２７】
1031は、音声ガイドキーであり、音声によるガイドを行なうときに、キーを押下して設定を行い、設定をオフにする場合には再度、押下して設定を解除することができる。
【００２８】
501はスピーカーで、音声によるガイドがスピーカーを通して出力する。502はハンドセットであり、これを使用して音声を入力したり、音声ガイドを聞くことができる。
【００２９】
図６は、操作パネル140のLCD表示部に表示される基本画面である。
【００３０】
1001は拡張機能キーであり、このキーを押すことによって両面複写、多重複写、移動、とじ代の設定、枠消しの設定等のモードに入る。1002は画像モードキーであり、複写画像に対して網掛け、影付け、トリミング、マスキングを行うための設定モードに入る。1003はユーザーモードキーであり、モードメモリの登録、標準モード画面の設定がユーザーごとに行える。1004は応用ズームキーであり、原稿のＸ方向、Ｙ方向を独立に変倍するモード、原稿のサイズと複写サイズから変倍率を計算するズームプログラムのモードに入る。1005、1006、1007はＭ１キー、Ｍ２キー、Ｍ３キーであり、それぞれのモードメモリを呼び出す際に押す。1008はコールキーであり、前回設定されていた複写モードを呼び出す際に押す。1009はオプションキーであり、フィルムから直接複写するためのフィルムプロジェクター等のオプション機能の設定を行う。1010はソーターキーであり、ソート出力、グループ出力等のモード設定を行う。1011は原稿混載キーであり、原稿フィーダーにＡ４サイズとＡ３サイズ、またはＢ５サイズとＢ４サイズの原稿を一緒にセットする際に押す。1012は等倍キーであり、複写倍率を100％にする際に押す。1014、1015はそれぞれ縮小キー、拡大キーであり、定形の縮小、拡大を行う際に押す。1016はズームキーであり、１％刻みで非定形の縮小、拡大を行う際に押す。1013は用紙選択キーであり、複写用紙の選択を行う際に押す。1018、1020は濃度キーであり、1018を押すごとに濃く複写され、1020を押すごとに薄く複写される。1017は濃度表示であり、濃度キーを押すと表示が左右へ変化する。1019はＡＥキーであり、新聞のように地肌の濃い原稿を自動濃度調整複写するときに押す。1021はＨｉＦｉキーであり、写真原稿のように中間調の濃度が多い原稿の複写の際に押す。1022は文字強調キーであり、文字原稿の複写で文字を際立たせたい場合に押下する。
【００３１】
図7は画像形成装置におけるスキャナ10、プリンタ20の構成を示すブロック図である。
【００３２】
751はスキャナ10全体の制御を行なうCPUであり、制御プログラムを記憶した読み取り専用メモリ753（ROM）からプログラムを順次読み取り、実行する。CPUのアドレスバス、データバスはバスドライバ、アドレスデコーダ752からなる回路を介して各負荷に接続されている。また、コントローラユニット30のCPUと接続され、通信を行なう。
【００３３】
754は、入力データの記憶や作業用記憶領域等として用いる主記憶装置としてのランダムアクセスメモリ(RAM)である。755はI/Oインターフェースであり、給紙系、搬送系、光学系の駆動を行なうモーター類756、ランプ類757、また、搬送される用紙を検知する紙検知センサ類758等の装置の各負荷に接続される。
【００３４】
また、CCDユニット106により読み込まれた画像データは、コントローラ30に転送される。
【００３５】
次に、701はプリンタ20の制御を行うＣＰＵであり、制御手順（制御プログラム）を記憶した読み取り専用メモリ703（ＲＯＭ）からプログラムを順次読み取り、実行する。ＣＰＵ701のアドレスバスおよびデータバスは702のバスドライバー回路、アドレスデコーダ回路をへて各負荷に接続されている。また、704は入力データの記憶や作業用記憶領域等として用いる主記憶装置であるところのランダムアクセスメモリ（ＲＡＭ）である。705はＩ／Ｏインターフェースであり、給紙系、搬送系、光学系の駆動を行うモーター類707、クラッチ類708、ソレノイド類709、また、搬送される用紙を検知するための紙検知センサ類710等の装置の各負荷に接続される。現像器118には現像器内のトナー量を検知する711のトナー残検センサが配置されており、その出力信号がＩ／Ｏポート705に入力される。715は高圧ユニットであり、ＣＰＵ701の指示に従って、前述の１次帯電器113、現像器118、転写前帯電器119、転写帯電器127、分離帯電器128へ高圧を出力する。
【００３６】
ＣＣＤユニット106から出力された画像信号はコントローラユニット30により、後述する画像処理を行い、画像データに従って117のレーザーユニットの制御信号を出力する。レーザーユニット117から出力されるレーザー光は感光ドラム110を照射し、露光するとともに非画像領域において受光センサであるところの713のビーム検知センサによって発光状態が検知され、その出力信号がＩ／Ｏポート705に入力される。
【００３７】
コントローラユニットの構成図を図8に示す。コントローラユニット30は画像入力デバイスであるスキャナ10や画像出力デバイスであるプリンタ20と接続し、一方ではLAN2011や公衆回線(WAN)2051接続することで、画像情報やデバイス情報の入出力を行う為のコントローラである。CPU2001はシステム全体を制御するコントローラである。RAM2002はCPU2002が動作するためのシステムワークメモリであり、画像データを一時記憶するための画像メモリでもある。ROM2003はブートROMであり、システムのブートプログラムが格納されている。HDD2004はハードディスクドライブで、システムソフトウェア、画像データ、ソフトウェアカウンタ値などを格納する。操作部I/F2006は操作部(UI)140とのインターフェース部で、操作部140に表示する画像データを操作部140に対して出力する。また、操作部140から本システム使用者が入力した情報を、CPU2001に伝える役割をする。Network2010はLAN2011に接続し、情報の入出力を行う。Modem2050は公衆回線2051に接続し、情報の入出力を行う。音声入出力ユニット500は音声をスピーカーに対して出力したり、ハンドセットに対して、音声出力したり、音声入力するための制御を行なう。時刻計測ユニット2200にはリアルタイムクロックなどが用いられ、カレンダとして時刻の計測を行う。スキャナ、プリンタ通信I/Fはスキャナ１０、プリンタ20のCPUとそれぞれ通信を行なうためのI/Fである。以上のデバイスがシステムバス2007上に配置される。
【００３８】
Image Bus I/F2005はシステムバス2007と画像データを高速で転送する画像バス2008を接続し、データ構造を変換するバスブリッジである。画像バス2008は、PCIバスまたはIEEE1394で構成される。画像バス2008上には以下のデバイスが配置される。ラスターイメージプロセッサ(RIP)2060はPDLコードをビットマップイメージに展開する。デバイスI/F部2020は、画像入出力デバイスであるスキャナ10やプリンタ20とコントローラ30を接続し、画像データの同期系/非同期系の変換を行う。スキャナ画像処理部2080は、入力画像データに対し補正、加工、編集を行う。プリンタ画像処理部は、プリント出力画像データに対して、プリンタの補正、解像度変換等を行う。画像回転部2030は画像データの回転を行う。画像圧縮部2040は、多値画像データはJPEG、2値画像画像データはJBIG、MMR、MHの圧縮伸張処理を行う。
【００３９】
以下、図８に示したコントローラユニット30内の各ブロックの説明を行なう。
図9はスキャナ用画像処理部2080の機能構成を示す図である。
【００４０】
スキャナより入力された画像（Ｒ、Ｇ、Ｂ）は入力Ｉ／Ｆ部７００１で画像処理部１０６４のクロック同期に従って周波数変換される。
【００４１】
スキャナが３ラインセンサーだった場合、RGB間でのライン間遅延が存在するので、その場合はライン間遅延補正部７００２で各色のライン間の遅延が補正される。
【００４２】
副走査オフセット補正部７００３では、光学系の色収差などによる副走査方向のオフセットの補正を行う。
【００４３】
画像特性判定部７００４では、原稿の種類をもとに画像データのエッジ検出等を行って、入力される画像の文字の有無や色の有無等を判定し、ＲＧＢの画像データとともに、特性情報を出力する。
【００４４】
ガンマ補正部７００５及びダイレクトマッピング処理部７００６では、スキャナの入力特性に従って、画像データを補正し出力する。例えば、ガンマ補正部７００５では各色毎にダイナミックレンジを補正し、ダイレクトマッピング処理部７００６では、スキャナの色味を補正する。
【００４５】
ダイレクトマッピング処理部７００６より出力された画像はMTF補正部７００７と特定画像判定部７０１２に入力される。MTF補正部７００７では主走査方向の光学系の開口数や色収差の補正を行う演算処理を施す。
【００４６】
特定画像判定部７０１２では、有価証券類など法律上で印刷することを禁じられている画像データをパターンマッチングなどにより判別する。
【００４７】
空間フィルター処理部７００８は入力画像に対し、エッジ強調やスムージングなどの空間フィルター処理を実施する。フィルター処理は、前述の画像特性判定部７０１２の判定結果に応じて、適応的に行われる。例えば入力画像が文字と判定された場合は、エッジが強調され、写真などの連続階調画像と判定された場合は、スムージングされる。
【００４８】
ヒストグラム算出部７００９では入力された画像のヒストグラムを求める他、有彩のＲＧＢ入力画像を無彩色のＮＤ画像に変換する。また、画像特性判別部で生成された像域フラグにより非文字と判定された領域のヒストグラム1も別途作成する。
【００４９】
トリミング／マスキング部７０１０は入力画像データの枠消しやブック枠消しといった、印字画像領域の加工を行う。
【００５０】
出力Ｉ／Ｆ部７０１１ではスキャナ用画像処理クロックからシステム・クロック同期へ画像データ及び特性情報の周波数変換を行って出力する。
【００５１】
プリンタ画像処理部2090の構成を図10に示す。画像図9に示した画像処理部2080より出力された画像データＲＧＢ（又はＣＭＹＫ）はプリンタ画像処理部2090に夫々入力される。
【００５２】
９００１は入力Ｉ／Ｆ部であり、入力される画像データをプリンタ用画像処理クロック同期に従って周波数変換する。
【００５３】
９００２は下地除去及びＮＤ変換部であり、画像特性情報に応じて入力画像データの背景色を飛ばしたり、ＲＧＢの有彩色データを無彩色のＮＤデータに変換する。
【００５４】
９００３は輝度濃度変換部であり、画像特性情報に応じて入力データの輝度濃度変換を行う。
【００５５】
９００４はダイレクトマッピング処理部であり、画像特性情報に応じてＲＧＢ入力データをプリンタエンジンのＣ／Ｍ／Ｙ／Ｋ／Ｔの各色成分への変換を行う。また、スキャナ画像処理部2080の  ヒストグラム算出部７００９で作成されたヒストグラム1を用いて透明トナーの使用の有無を判定し判定情報を画像情報に付加する。ここで、図17-a1はプレゼンテーション用のソフトで作成されたもので透明トナーの使用には向かない画像である。一方図17-b1は自然の風景画の写真であり透明トナーの使用に向く画像である。これらの図17-a1、図17-b1は共に像域判定部409において非文字領域と判定されたためそれぞれ図17-a2、図17-b2のようなヒストグラムがヒストグラム算出部７００９で生成されている。このヒストグラムを用いた透明トナーの判定方法として、最も暗い部分からのある領域までと最も明るい領域からのある部分までをマスクし、マスクされていない領域の画素数が全体画素の何%あるかで透明トナーの使用の有無を決定する。図18-a、図18-bはぞれぞれ図17-a2、図17-b2のヒストグラムの無効領域をマスクしたものである。例えば、図18-aに示される画素数は全画素の60%以下であるため、透明トナーを使用しない。一方図18-bに示される画素数は全画素の60%以上であるため、透明トナーを使用するというように透明トナーの使用判定を行う。ここで、透明トナー使用の閾値(全画素に対するパーセンテージ)とマスクエリアは操作部140から設定するものとする。
【００５６】
９００５は出力色選択部であり、入力データがＲＧＢの場合とＣＭＹＫの場合のどちらの画像処理をした信号を後段に出力するか選択する。
【００５７】
９００６は色バランス補正部であり、画像特性情報に応じて出力画像の色味の微調整などを行う。
【００５８】
９００７〜９００９は出力ガンマ補正部であり、出力される画像のダイナミックレンジやトーンカーブの補正を行う。本実施形態では１色につき、Ａ〜Ｃの３種類のガンマ補正を同時に行って出力する。
【００５９】
９０１０〜９０１２は中間調処理部であり、画像データを量子化して出力画像の階調変換を行っている。本実施形態ではプリンタ用画像処理部への入力８ビットデータを４ビットデータに変換する。中間調処理方法としては、一般にスクリーン処理や誤差拡散処理などが広く知られているが、本実施形態では各色とも任意の３種類の中間調処理を行うようになっている。
【００６０】
９０１３は中間調処理選択部であり、前述の３種類の中間調処理部で処理された出力画像を画像特性情報に応じて最適な処理結果を選択するようになっている。
【００６１】
９０１４はスムージング処理部であり、文字エッジ等のがたつきを軽減するパターンマッチング処理を行っている。
【００６２】
９０１５は特定情報付加部であり、出力画像データ中に出力機器を特定できるような画像情報を重畳する処理を行う。
【００６３】
９０１６はドラム間遅延制御部であり1ドラムの装置ではスルーし、4ドラム以上の装置では、プリンタエンジンからの出力要求があるまで画像を保持するドラム間遅延分のバッファとなるメモリ制御を行う。4ドラム以上の装置では図10のプリンタ画像処理部2080を4つ持ち互いの同期を取り画像処理を行う。
【００６４】
９０１７は出力Ｉ／Ｆ部であり、プリンタＩ／Ｆクロックに同期して画像を出力するための周波数変換を行う。
【００６５】
画像圧縮部2040の構成を図11に示す。画像バスI./Fコントローラ2041は、画像バス2008と接続し、そのバスアクセスシーケンスを制御する働き、入力バッファ2042・出力バッファ2045とのデータのやりとりを行うためのタイミング制御及び、画像圧縮部2043に対するモード設定などの制御を行う。以下に画像圧縮処理部の処理手順を示す。
【００６６】
画像バス2008を介して、CPU2001から画像バスI/Fコントローラ2041に画像圧縮制御のための設定を行う。この設定により画像バスI/Fコントローラ2041は画像圧縮部2043に対して画像圧縮に必要な設定(たとえばMMR圧縮・JBIG伸長等の)を行う。必要な設定を行った後に、再度CPU2001から画像バスI/Fコントローラ2041に対して画像データ転送の許可を行う。この許可に従い、画像バスI/Fコントローラ2041はRAM2002もしくは画像バス2008上の各デバイスから画像データの転送を開始する。受け取った画像データは入力バッファ2042に一時格納され、画像圧縮部2043の画像データ要求に応じて一定のスピードで画像を転送する。この際、入力バッファは画像バスI/Fコントローラ2041と、画像圧縮部2043両者の間で、画像データを転送できるかどうかを判断し、画像バス2008からの画像データの読み込み及び、画像圧縮部2043への画像の書き込みが不可能である場合は、データの転送を行わないような制御を行う(以後このような制御をハンドシェークと呼称する)。画像圧縮部2043は受け取った画像データを、一旦RAM2044に格納する。これは画像圧縮を行う際には行う画像圧縮処理の種類によって、数ライン分のデータを要するためであり、最初の１ライン分の圧縮を行うためには数ライン分の画像データを用意してからでないと画像圧縮が行えないためである。画像圧縮を施された画像データは直ちに出力バッファ2045に送られる。出力バッファ2045では、画像バスI/Fコントローラ2041及び画像圧縮部2043とのハンドシェークを行い、画像データを画像バスI/Fコントローラ2041に転送する。画像バスI/Fコントローラ2041では転送された圧縮(もしくは伸長)された画像データをRAM2002もしくは画像バス2008上の各デバイスにデータを転送する。こうした一連の処理は、CPU2001からの処理要求が無くなるまで(必要なページ数の処理が終わったとき)、もしくはこの画像圧縮部から停止要求が出るまで(圧縮及び伸長時のエラー発生時等)繰り返される。
【００６７】
画像回転部2030の構成を図12に示す。画像バスI/Fコントローラ2031は、画像バス2008と接続し、そのバスシーケンスを制御する働き、画像回転部2032にモード等を設定する制御及び、画像回転部2032に画像データを転送するためのタイミング制御を行う。以下に画像回転部の処理手順を示す。
【００６８】
画像バス2008を介して、CPU2001から画像バスI/Fコントローラ2031に画像回転制御のための設定を行う。この設定により画像バスI/Fコントローラ2041は画像回転部2032に対して画像回転に必要な設定(たとえば画像サイズや回転方向・角度等)を行う。必要な設定を行った後に、再度CPU2001から画像バスI/Fコントローラ2041に対して画像データ転送の許可を行う。この許可に従い、画像バスI/Fコントローラ2031はRAM2002もしくは画像バス2008上の各デバイスから画像データの転送を開始する。尚、ここでは32bitをそのサイズとし回転を行う画像サイズを32×32(bit)とし、又、画像バス2008上に画像データを転送させる際に32bitを単位とする画像転送を行うものとする(扱う画像は２値を想定する)。
【００６９】
上述のように、32×32(bit)の画像を得るためには、上述の単位データ転送を３２回行う必要があり、且つ不連続なアドレスから画像データを転送する必要がある。(図13参照)
不連続アドレッシングにより転送された画像データは、読み出し時に所望の角度に回転されているように、RAM2033に書き込まれる。例えば、90度反時計方向回転であれば、最初に転送された32bitの画像データを、図14のようにY方向に書き込んでいく。読み出し時にX方向に読み出すことで、画像が回転される。
【００７０】
32×32(bit)の画像回転(RAM2033への書き込み)が完了した後、画像回転部2032はRAM2033から上述した読み出し方法で画像データを読み出し、画像バスI/Fコントローラ2031に画像を転送する。
【００７１】
回転処理された画像データを受け取った画像バスI/Fコントローラ2031は、連続アドレッシングを経て、RAM2002もしくは画像バス2008上の各デバイスにデータを転送する。
【００７２】
こうした一連の処理は、 CPU2001からの処理要求が無くなるまで(必要なページ数の処理が終わったとき)繰り返される。
【００７３】
デバイスI/F部2020の構成を図15に示す。画像バスI/Fコントローラ2021は、画像バス2008と接続し、そのバスアクセスシーケンスを制御する働きと、デバイスI/F部2020内の各デバイスの制御及びタイミングを発生させる。また、スキャナ10及びプリンタ20への制御信号を発生させる。スキャンバッファ2022は、スキャナ10から送られてくる画像データを一時保存し、画像バス2008に同期させて画像データを出力する。シリアルパラレル・パラレルシリアル変換2023は、スキャンバッファ2022に保存された画像データを順番に並べて、あるいは分解して、画像バス2008に転送できる画像データのデータ幅に変換する。パラレルシリアル・シリアルパラレル変換2024は、画像バス2008から転送された画像データを分解して、あるいは順番に並べて、プリントバッファ2025に保存できる画像データのデータ幅に変換する。プリントバッファ2025は、画像バス2008から送られてくる画像データを一時保存し、プリンタ20に同期させて画像データを出力する。
【００７４】
画像スキャン時の処理手順を以下に示す。スキャナ10から送られてくる画像データをスキャナ10から送られてくるタイミング信号に同期させて、スキャンバッファ2022に保存する。そして、画像バス2008がPCIバスの場合には、バッファ内に画像データが32ビット以上入ったときに、画像データを先入れ先出しで32ビット分、バッファからシリアルパラレル・パラレルシリアル変換2023に送り、32ビットの画像データに変換し、画像バスI/Fコントローラ2021を通して画像バス2008上に転送する。また、画像バス2008がIEEE1394の場合には、バッファ内の画像データを先入れ先出しで、バッファからシリアルパラレル・パラレルシリアル変換2023に送り、シリアル画像データに変換し、画像バスI/Fコントローラ2021を通して画像バス2008上に転送する。
【００７５】
画像プリント時の処理手順を以下に示す。画像バス2008がPCIバスの場合には、画像バスから送られてくる32ビットの画像データを画像バスI/Fコントローラで受け取り、パラレルシリアル・シリアルパラレル変換2024に送り、プリンタ20の入力データビット数の画像データに分解し、プリントバッファ2025に保存する。また、画像バス2008がIEEE1394の場合には、画像バスからおくられてくるシリアル画像データを画像バスI/Fコントローラで受け取り、パラレルシリアル・シリアルパラレル変換2024に送り、プリンタ20の入力データビット数の画像データに変換し、プリントバッファ2025に保存する。そして、プリンタ20から送られてくるタイミング信号に同期させて、バッファ内の画像データを先入れ先出しで、プリンタ20に送る。
【００７６】
図1は音声入出力ユニット500の詳細を示すブロック図である。
【００７７】
音声入出力ユニット500は、CPU2001からシステムバス2007を介して入力された音声データをスピーカー501もしくはハンドセット502から音声出力する回路と、ハンドセット502から音声入力された音声データをコントローラユニット30のCPU2001に対しシステムバス2007を介して入力する回路から構成される。
501はスピーカーであり、アンプ528から入力されたアナログ信号を音声出力する。502はハンドセットであり、アンプ527から入力されたアナログ信号の音声出力と、音声入力したアナログ信号をアンプ537への出力と、ハンドセット502のオンフック、オフフック検知信号をレジスタ制御部513への出力を行う。511はバスI/F制御部であり、FIFO 521、531への読み書きタイミングを生成させる為にタイミング制御部512へ制御信号を入力し、システムバス2007とFIFO 521、531間の音声データのやり取りを行う。また、レジスタ制御部513の各種レジスタへの読み書きと、割り込み生成部515によって入力された割り込み信号をもとにCPU2001へ割り込みも行う。512はタイミング制御部であり、バスI/F制御部511の制御信号とレジスタ制御部513のコントロールレジスタとステータスレジスタに従ってFIFO 521、531への読み書きのタイミング制御を行うものである。また、FIFO 521、531の書込み位置、読出し位置を示すアドレスをレジスタ制御部513のカウンタレジスタとして持ち、そのカウントアップ制御も行う。513はレジスタ制御部であり、バスI/F制御部511、タイミング制御部512、アンプON_OFF制御部514、割り込み生成部515、A/D,D/A制御部516、データ変換部522、524、532、534、補間部523、間引き部533で利用されるステータスレジスタ、コントロールレジスタ、カウンタレジスタを含み、これらレジスタの制御も行う。この制御例として、ハンドセット502から入力されたオンフック、オフフック検知信号によってステータスレジスタのON_OFFを切り換えたり、FIFO 521、531の書込み位置、読出し位置を示すカウンタレジスタがFIFOサイズに達した時にステータスレジスタを立てたり、音声入出力ユニット500の処理終了を示すステータスレジスタを立てたりすることが挙げられる。514はアンプON_OFF制御部であり、レジスタ制御部513のコントロールレジスタに従ってアンプ527、528、537のON_OFF制御を行う。このコントロールレジスタはバスI/F制御部511を介し、CPU2001から制御される。また、オンフック、オフフックを示すステータスレジスタによってON_OFF制御される場合もある。515は割り込み生成部であり、レジスタ制御部513のステータスレジスタのステータスに変化があったときに割り込み信号を生成し、バスI/F制御部511を介してCPU2001に割り込み信号を出力する。ここで、割り込み信号を生成する例として、ハンドセット502のオンフック、オフフック検知したとき、FIFO 521、531の読み書きが終了したとき、音声入出力ユニット500の処理が終了したときなどが挙げられる。516はA/D,D/A制御部であり、レジスタ制御部513のコントロールレジスタに従ってD/A変換部525 とA/D変換部535のサンプリング周波数変更、ON_OFF制御、変換開始制御を行う。このコントロールレジスタはバスI/F制御部511を介し、CPU2001から制御される。また、オンフック、オフフックを示すステータスレジスタによってON_OFF制御される場合もある。521、531はFIFO(First In First Out)であり、音声データ用のバッファメモリである。ここで、このFIFOはダブルバッファ構成であってもよい。522、524、532、534はデータ変換部であり、補間部523あるいは間引き部533のようにデータ処理で使用するデータ幅と、FIFO 521、531あるいはD/A変換部525 、A/D変換部535とのデータ幅を合わせるためのデータ変換部である。この変換部は全てが同じデータ幅で処理されて��る場合には不要となる。523は補間部であり、D/A変換部525でのサンプリング周波数よりも音声データのサンプリング周波数が小さくデータ量が少ないときにデータ補間するものである。また、レジスタ制御部513のコントロールレジスタに従い補間方法を変える。このコントロールレジスタはバスI/F制御部511を介し、CPU2001から制御される。525はD/A変換部であり、A/D,D/A制御部516で設定されたサンプリング周波数に従い、デジタル信号をアナログ信号へ変換するものである。526、536はLPF(Low Pass Filter)であり、高周波成分をカットするフィルタである。ここで、LPF526のカットオフ周波数はD/A変換部525のサンプリング周波数の1/2以下の周波数で、LPF536のカットオフ周波数はA/D変換部535のサンプリング周波数の1/2以下の周波数である。527、528、537はアンプであり、信号増幅をするもので、アンプON_OFF制御部514によってON_OFFが制御される。533は間引き部であり、A/D変換部535でのサンプリング周波数よりも音声データのサンプリング周波数が小さくデータ量が少ないときにデータ間引きするものであり。また、レジスタ制御部513のコントロールレジスタに従い間引き方法を変える。535はA/D変換部であり、A/D,D/A制御部516で設定されたサンプリング周波数に従いアナログ信号をデジタル信号へ変換する。
【００７８】
以下本特許に関るものである。
【００７９】
図19を使用し、透明トナーを使用するかどうか判定するフローを以下に示す。
【００８０】
ステップ1では、スキャン開始後にスキャナ画像処理部の像域判定部により像域判定を行い、文字部と非文字部を識別するデータ画像データに付加する。
【００８１】
ステップ2では、操作部140により透明トナー自動判定モードが選択されている場合、ステップ3へ進み、そうでない場合はステップ7へ進み通常印刷フローを通る。
【００８２】
ステップ3では、ステップ1で非文字と判定されたデータのヒストグラムを生成し、その情報をプリンタ画像処理部の透明トナー判定部へ送る。
【００８３】
ステップ4では、操作部140より設定されたヒストグラムマスク情報と透明トナー判定閾値を読み込み、(1)透明トナー判定閾値、(2)ヒストグラム中の全画素数、(3)ヒストグラム中のマスクされた画素を除いた画素数、を透明トナー判定部へ送るデータを生成する。
【００８４】
ステップ5では、ステップ4の情報を元に透明トナー判定を行い、透明トナーを使用する場合ステップ6へ、そうでない場合はステップ7へ進む。
【００８５】
ステップ6では、画像情報に透明トナーデータを付加する。透明トナー自動判定モードでは初期値の透明トナーデータTは'0'になっているが、ここで所望のデータ値を与える。
【００８６】
所望の値とは別途画像処理をして透明トナー載り量を制御しても良いし、8bitデータならば単純に255としても良い。
【００８７】
ステップ7では、通常の画像処理を行い印刷を終了する。
【図面の簡単な説明】
【００８８】
【図１】音声入出力ユニットの構成を示す図である。
【図２】本発明の画像処理装置を含むネットワークシステムを示す図である。
【図３】本発明の画像処理装置の外観を示すである。
【図４】画像処理装置の全体構成を示す断面図である。
【図５】操作部を示す図である。
【図６】LCD表示を示す図である。
【図７】画像形成装置におけるスキャナ10、プリンタ20の構成を示すブロック図である。
【図８】コントローラユニットの構成を示す図である。
【図９】スキャナ画像処理部のブロック図を示す図である。
【図１０】プリンタ画像処理部のブロック図を示す図である。
【図１１】画像圧縮処理部のブロック図を示す図である。
【図１２】画像回転部のブロック図を示す図である。
【図１３】画像回転処理の説明図を示す図である。
【図１４】画像回転処理の説明図を示す図である。
【図１５】デバイスI/F部のブロック図を示す図である。
【図１６】画像形成装置におけるプリンタ部のレーザー生成部を示す図である。
【図１７】写真を含んだ画像例とそのヒストグラムを示す図である。
【図１８】ヒストグラムマスクの例を示す図である。
【図１９】透明トナー判定フローを示すフローチャート。
【図１】
2007034040.tif 000003
【図２】
2007034040.tif 000004
【図３】
2007034040.tif 000005
【図４】
2007034040.tif 000006
【図５】
2007034040.tif 000007
【図６】
2007034040.tif 000008
【図７】
2007034040.tif 000009
【図８】
2007034040.tif 000010
【図９】
2007034040.tif 000011
【図１０】
2007034040.tif 000012
【図１１】
2007034040.tif 000013
【図１２】
2007034040.tif 000014
【図１３】
2007034040.tif 000015
【図１４】
2007034040.tif 000016
【図１５】
2007034040.tif 000017
【図１６】
2007034040.tif 000018
【図１７】
2007034040.tif 000019
【図１８】
2007034040.tif 000020
【図１９】
2007034040.tif 000021